(57)【特許請求の範囲】
【請求項１】
外殻を形成する外ケースと、内容液を入れる内容器と、該内容器を加熱する加熱手段と、前記内容器内の内容液を外部に送り出すポンプと、該ポンプからの内容液を外部に送り出す液通路であり、内容器内の内容液の残量を表示するパイプ部材と、該パイプ部材の上下部に接続される接続部材と、前記パイプ部材の後方に配置されるパイプ板とを備えた電気ポットにおいて、表示窓が設けられる側を正面とした場合、表示窓が正面視で右側にずれて設けられ、前記ポンプの流出パイプはほぼ中央に設けられ、前記下部接続部材は正面視で右から左側に傾斜しており、前記パイプ板の下端にセンターラインより左に偏っている切り欠きを設け、該切り欠き内に前記下部接続部材を配置することを特徴とする電気ポット。
【請求項２】
外殻を形成する外ケースと、内容液を入れる内容器と、該内容器を加熱する加熱手段と、前記内容器内の内容液を外部に送り出すポンプと、該ポンプからの内容液を外部に送り出す液通路であり、内容器内の内容液の残量を表示するパイプ部材と、該パイプ部材の上下部に接続される接続部材と、前記パイプ部材の後方に配置されるパイプ板とを備えた電気ポットにおいて、前記パイプ板の下端に切り欠きを設け、該切り欠き内に前記下部接続部材を配置し、前記内容器を上部外筒及び下部外筒を溶接してなる外筒を用いた真空二重構造とし、前記溶接箇所を前記外筒の上部にするとともに、前記溶接部に外周上に張り出し前記上部接続部材に対向するフランジを形成し、前記パイプ板を前記外筒の溶接部対向位置まで延設させ、前記接続部材を保護することを特徴とする電気ポット。
【発明の詳細な説明】
【０００１】
【発明が属する技術分野】
本願発明は、残量表示可能なパイプ部材を備えた電気ポットであって、特にパイプ部材の後方に配置されるパイプ板の取り付け構造に関するものである。
【０００２】
【従来の技術】
現在、電気ポットとして電動式ポンプ構造のものや、電動式ポンプ及びエアー式ポンプを備えたものが広く出回っている。例えば、電動式ポンプ及びエアー式ポンプを備えたタイプの電気ポットは、ＡＣ電源に繋ぎ給湯ボタンを押すことによって，簡単に給湯できるとともに、電源を取外し，自由に持ち運ぶことができ好きな場所でエアーポンプを手動で操作することにより給湯できるというように利便性に優れたものである。
【０００３】
ところで、電気ポットには、内容器内の内容液の残量を表示するための手段が採用されている。この手段は、内容器と注出口とを連結する液通路に設けた透明なガラス等のパイプ部材と、パイプ部材が位置する箇所の外ケースに設けられる透明な表示窓とからなるものである。このパイプ部材は内容器と繋がっているため、電気ポットの不使用時、内容器内の内容液がその液面と同位置になるまでパイプ部材内に侵入しており、パイプ部材内の量が内容器内の内容液の残量を示すことになる。
【０００４】
このパイプ部材内の内容液の液面は、透明な表示窓を介して見ることになり、透明な表示窓から中を見ると、パイプ部材は勿論のことパイプ部材の奥まで見え、必ずしも見てくれが良いとは言えなかった。
【０００５】
また、電気ポットのタイプによっては透明な表示窓及び注出口が配置される正面部は、コップ等を注出口近傍に持って行きやすくするために内側に凹まされており、透明な表示窓を介してパイプ部材を見た場合、角度によって光が反射し、パイプ部材の内容液の液面が見えにくい場合もある。勿論、電気ポットのタイプによってはその正面部は内側に窪んでいないものもあり、或いは透明な表示窓が正面部以外の外側に円弧状を呈する部分に配置される場合もあるが、そのような場合においても程度の差はあっても同様である。
【０００６】
このような弊害を防止するため、パイプ部材の後方にパイプ板を配置しているものがある。その一例を図６に示す。図６は電気ポットの正面図を示す。符号ａは電気ポットであり、内容器ｅを収納してなる容器本体ｂと操作パネルｄを有する蓋体ｃとからなる。内容器ｅは、その底部に配置される図示しない電動ポンプに連通されるとともに、電動ポンプは下部接続部材ｇ、パイプ部材ｆ、上部接続部材ｈ及び電気ポットａの転倒時閉鎖される転倒遮断弁ｉを介して注出口ｊに連通されており、給湯ボタンが押されると、電動ポンプが作動し内容器ｅ内の内容液であるお湯を、下部接続部材ｇ、パイプ部材ｆ、上部接続部材ｈ及び転倒遮断弁ｉを介して注出口ｊより注出する。
【０００７】
前記パイプ部材ｆは、透明なガラス管等からなり、電気ポットａの不使用時、内容器ｅ内の残量を示す。そしてパイプ部材ｆの後方には、パイプ部材ｆの後方を遮蔽したり、光の乱反射を防止する機能を有するパイプ板ｋが配設される。このパイプ板ｋはその取り付けを簡単にするために、次のような手段が採用されている。即ち、パイプ板ｋの上部及び下部に水平方向の切り起こし片ｍ、ｍを設け、この上下の切り起こし片ｍ、ｍを切り起こし、切り起こした切り起こし片ｍ、ｍ内にパイプ部材ｆを通すという方法である。
【０００８】
ところがこの方法であってもその取り付けが簡単であるとは言えない。即ち、切り起こし片ｍはあまり大きくすることができないため、上下のの切り起こし片ｍ、ｍにパイプ部材ｆを通し、そのパイプ部材ｆの上下にそれぞれ接続部材を取り付けることになり、パイプ部材ｆの上下ともに接続部材を取り付ける作業はそれなりに手間がかかるものであった。また、パイプ板ｋがパイプ部材ｆに固定されているわけではなく、パイプ板ｋをパイプ部材ｆの所定位置に取り付けたとしても  パイプ板ｋを取り付けたパイプ部材ｆを電気ポットａに取り付ける際、パイプ板ｋが何かに当たる等の原因でパイプ部材ｆに対して上下方向や前後方向に動いたり、或いはパイプ部材ｆの回りに回動したりすることがあった。また電気ポットａに取り付けた時には、所定位置に取り付けられていたとしても電気ポットを移動したり、回動したりした時にパイプ板ｋがパイプ部材ｆに対し移動することがあった。
【０００９】
【発明が解決しようとする課題】
本願発明の目的は、従来の問題を解決することであり、詳細にはパイプ部材に対するパイプ板の取り付けは従来同様簡単に取り付けることができ、取り付け後はパイプ部材に対してパイプ板が移動することのないパイプ板の取付構造を提供することである。
【００１０】
【課題を解決するための手段】
上記目的を達成するため、本願発明は以下の構成を採用する。
【００１１】
請求項１に係る発明では、外殻を形成する外ケースと、内容液を入れる内容器と、該内容器を加熱する加熱手段と、前記内容器内の内容液を外部に送り出すポンプと、該ポンプからの内容液を外部に送り出す液通路であり、内容器内の内容液の残量を表示するパイプ部材と、該パイプ部材の上下部に接続される接続部材と、前記パイプ部材の後方に配置されるパイプ板とを備えた電気ポットにおいて、表示窓が設けられる側を正面とした場合、表示窓が正面視で右側にずれて設けられ、前記ポンプの流出パイプはほぼ中央に設けられ、前記下部接続部材は正面視で右から左側に傾斜しており、前記パイプ板の下端にセンターラインより左に偏っている切り欠きを設け、該切り欠き内に前記下部接続部材を配置する構成。
【００１２】
そしてこのような構成により、パイプ板の下端に設けた切り欠きをパイプ部材の下部接続部材に挿入するという簡単な操作で、パイプ板の取り付け並びに位置合わせが同時に行うことができる。
【００１３】
また、前記切り欠きは、前記パイプ板のセンターラインより右または左に偏っている構成。ところで下部接続部材の一端に接続されるパイプ部材が電気ポットの中心から左右にずれて設けられたり、或いは下部接続部材の他端に接続される電動ポンプが電気ポットの中心からずれて設けられる場合が多々あり、平面視での下部接続部材の方向は各種想定されることになるが、このような構成により下部接続部材がどのような方向に向いて配置されても容易に対応できる。
【００１４】
請求項２に係る発明では、外殻を形成する外ケースと、内容液を入れる内容器と、該内容器を加熱する加熱手段と、前記内容器内の内容液を外部に送り出すポンプと、該ポンプからの内容液を外部に送り出す液通路であり、内容器内の内容液の残量を表示するパイプ部材と、該パイプ部材の上下部に接続される接続部材と、前記パイプ部材の後方に配置されるパイプ板とを備えた電気ポットにおいて、前記パイプ板の下端に切り欠きを設け、該切り欠き内に前記下部接続部材を配置し、前記内容器を上部外筒及び下部外筒を溶接してなる外筒を用いた真空二重構造とし、前記溶接箇所を前記外筒の上部にするとともに、前記溶接部に外周上に張り出し前記上部接続部材に対向するフランジを形成し、前記パイプ板を前記外筒の溶接部対向位置まで延設させ、前記接続部材を保護する構成。
ところで内容器を真空二重構造にし、その内筒の上部に絞りを設ける場合には、内筒の上部が強度的に弱くなるため内筒と外筒との溶着を適正に行うことができなかった。そのため外筒を２部材から形成し、３部材を溶着するという手法で内容器を形成せざるを得ず、外筒の２部材を溶着するに際し、それぞれフランジ状部材を形成し、そのフランジ状部材を溶着することにより一体化している。即ち内筒の上部に絞りを設けるような真空二重構造の内容器の外周には、フランジが形成されることになる。そのためそのフランジがパイプ部材に接続される接続部材に当たると接続部材はシリコン等の樹脂でできているため破損する恐れがある。この発明のものはそのような弊害に対応するものであり、フランジと接続部材との間にパイプ板を介在することにより、接続部材が破損する恐れがなくなる。更に内容器を真空二重構造にすることにより断熱効果が向上する。
【００１５】
【発明の実施の形態】
以下、添付の図面を参照して、本願発明の実施の形態について説明する。図１に電気ポットを正面から見た状態で、特にパイプ部材にパイプ板を取り付けた状態を示し、図２に電気ポットの側断面図の略半分を示し、図３に図２の丸Ａの拡大図であり、パイプ板をパイプ部材とフランジとの間に介在させる状態を示し、図４に電気ポットの底面図を示し、図５に図４の丸Ｂの拡大図であり、外ケースとパイプ板との間で断熱空間が形成される状態を示す。
【００１６】
電気ポットは、図１、図２に示すように、貯湯用の内容器３を備えた容器本体１と、該容器本体１を開閉する蓋体２と、内容器３を加熱する加熱手段である湯沸かしヒータ４と、前記内容器３内の内溶液であるお湯を外部へ給湯するための液通路、即ち給湯通路５と、該給湯通路５を介して湯を送り出す電動ポンプ６とを備えて構成される。
【００１７】
前記容器本体１は、外周面を構成する合成樹脂製の外ケース７と、内周面を構成する前記内容器３と、前記外ケース７と内容器３とを結合する合成樹脂製の環状の肩部材８と、底面を形成する合成樹脂製の底板９とからなる。
【００１８】
前記内容器３は、ステンレス製の有底円筒形状の内筒１０とステンレス製の外筒との間に真空空間を形成してなる真空二重構造体からなり、その底部には、雲母板に発熱体を保持させてなるマイカヒータ等の電気ヒータ４が取り付けられている。
【００１９】
真空二重構造体は、内筒１０と２個の外筒である上部外筒１１及び下部外筒１２からなる。外筒を上部外筒１１及び下部外筒１２から形成する理由は次のとおりである。即ち、前記内筒１０の上端部には、放熱を抑制するために絞り加工が施され絞り１０ａが形成される。そのため内筒１０の絞り１０ａ近傍の内筒上端部１０ｂは強度的に弱くなっている。この強度的に弱くなっている内筒上端部１０ｂに外筒の上端部を溶着しようとした場合、その溶着が適正に行われなくなるためである。そのため、外筒を小さな部分の上部外筒１１と大きな部分の下部外筒１２の２つに分け３つの部材を溶着している。
【００２０】
その溶着は、まず内筒１０の内筒上端部１０ｂと上部外筒１１の上部外筒上端部１１ａとを溶着し、次いで上部外筒１１の上部外筒下端部１１ｂと下部外筒１２の下部外筒上端部１２ａとを溶着するとともに、内筒１０の内筒下端部１０ｃと下部外筒１２の下部外筒下端部１２ｂとを溶着することになる。前記上部外筒下端部１１ｂと下部外筒上端部１２ａとは、ともに水平方向に外部に張り出したリング状からなるもので、両者の溶着後においては、外筒の上部で外周上に張り出したフランジ１３を形成する。
【００２１】
符号１４は内容器３の底部中央に当接され、内容器３内の湯温を検出する湯温検出手段として作用する湯温センサである。また、内容器３内には図示しない位置に満水位を表示する満水位目盛が設けられる。
【００２２】
前記蓋体２は、合成樹脂製の上板１５と該上板１５に対して外周縁が無理嵌め等により結合された合成樹脂製の下板１６とからなり、前記肩部材８の後部に設けられた図示しないヒンジ機構を介して肩部材８に対して開閉自在且つ着脱自在に支持される。
【００２３】
またこの蓋体２には、電源が接続されていない状態でも給湯通路５を介しての給湯が可能なように、手動操作により駆動されるエアーポンプ１７が配設されている。該エアーポンプ１７は、前記蓋体２の略中央部に形成された円筒形状の凹部１８内に配設されたべローズタイプのもので、押圧板１９を押圧操作することにより加圧空気が内容器３内に圧入され、該加圧空気の圧力により内容器３内のお湯が給湯通路５を介して外部へ給湯される。
【００２４】
前記蓋体２の下板１６には、金属製のカバー部材２０が固定されており、該カバー部材２０の外周縁には、蓋体２の閉蓋時において前記内容器３の内筒１０の上端開口部に圧接されるシールパッキン２１が設けられている。
【００２５】
前記内容器３の下方位置には、電動ポンプ６が配設されており、操作パネル部２２に設けられる給湯ボタン２３を押すことにより駆動される。電動ポンプ６は、流入パイプ６ａ及び流出パイプ６ｂを備えており、その流入パイプ６ａは内容器３の底部に連結される流出管１０ｄに接続管６ｃにより接続されており、電動ポンプ６が駆動されると、内容器３内のお湯を吸い出す。また電動ポンプ６の流出管１０ｄは給湯通路５を介して注出口２９に連通しており、吸い込んだお湯を前記注出口２９より外部に給湯する。
【００２６】
この給湯通路５は、下部接続部材２５、パイプ部材２４、上部接続部材２６、転倒防止弁２７及び注出パイプ２８よりなる。下部接続部材２５はシリコン樹脂製の接続具で、電動ポンプ６の流出パイプ６ｂとパイプ部材２４の下端部とを接続する。接続後の下部接続部材２５の形状は、電動ポンプ６の流出パイプ６ｂは傾斜して配置され、パイプ部材２４は垂直に配置されるため、傾斜部２５ａ及び垂直部２５ｂからなるく字状に折れ曲がった形状となる。またこの下部接続部材２５の垂直部２５ｂの垂直先端部２５ｄには、突片２５ｃが立設され、後記のパイプ板をパイプ部材２４との間で狭持する。
【００２７】
前記パイプ部材２４は、透明なガラス管或いはプラスチック管で形成される。このパイプ部材２４はほぼ垂直に配置されるとともに、外ケース７に形成される縦長の透明な表示窓７ａ（図１にその外枠のみを点線で示す。）に対向して配置される。図１に示すものにおいては電気ポットの縦中心よりも右方向に偏心して設けられる。パイプ部材２４はその下端が前記下部接続部材２５の垂直部２５ｂ内に挿入される形態で接続され、その上端は前記上部接続部材２６に挿入される形態で接続される。なお、表示窓７ａが形成される正面部の外ケース７は、図５に示すように内側に凹んでいる。
【００２８】
また、パイプ部材２４の外壁には軸方向に色、例えばピンク色が所定の幅で付されており、パイプ部材２４を所定の位置に配置した状態では該色はパイプ部材２４の後方に位置するように位置決めされ、外ケース７に設けられる表示窓７ａを通してパイプ部材２４を見た場合、パイプ部材２４内のお湯の位置を見やすくしている。なお、内容器３の外面と上部接続部材２６との間の隙間の方を内容器３の外面と下部接続部材２５との間の隙間より大きくする、即ち、パイプ部材２４を前方へ傾けることによっても見やすくなる。
【００２９】
このパイプ部材２４の上端に接続される上部接続部材２６は、その他端で略水平に配置される転倒防止弁２７の下端部に接続され、接続されることによって垂直に保持される。
【００３０】
転倒防止弁２７は、電気ポットが所定以上傾斜したとか、転倒した時に内部の通路を遮断し、内容器３内のお湯が注出口２９から流出しないようにするための安全弁である。この転倒防止弁２７の他端は、先端に注出口２９を有する注出パイプ２８が連結され、転倒防止弁２７に送られるお湯を更に注出口２９に送り出す連絡通路の機能をも有している。
【００３１】
符号３０はパイプ板である。このパイプ板３０はＰＥＴ等からなる樹脂製の薄い板状部材である。パイプ板３０は縦方向に細長い長方形状のものを縦方向の軸心回りに前方に湾曲させ断面円弧状としたものである。このパイプ板３０はパイプ部材２４の後方に配置されることになり、正面から見た縦或いは横方向の長さは、外ケース７の表示窓７ａのものより大きく、更に縦方向の長さも前記パイプ部材２４の長さより長くされる。そのため表示窓７ａから見た場合、パイプ板３０の端部、或いはその後方の部分が見えることはないので見栄えが良くなる。
【００３２】
またこのパイプ板３０の表面には、パイプ部材２４内のお湯の残量を見やすくするために、例えば水色等の色が付けられる。なお、表面に反射効率を考慮した処理、例えば畜光或いは蛍光塗料を塗布等しても良い。
【００３３】
更にパイプ板３０には、その下端部に切り欠き３１が形成されるとともに、その上端近傍には、水平方向に切り起こし片３２が形成される。この切り欠き３１は、切り欠き底面３１ａ及び切り欠き側面３１ｂからなる四角形状のもので、前記下部接続部材２５の径のよりやや大きい幅を有し、下部接続部材２５の垂直部２５ｂの高さより長い。このパイプ板３０をパイプ部材２４の後方に配置する際、切り欠き３１を下部接続部材２５の傾斜部２５ａ内、即ち、パイプ部材２４が位置していない下部接続部材２５の中空部箇所に当接することになる。
【００３４】
パイプ板３０の上端近傍に設けられる切り起こし片３２は上下に２箇所切れ目を入れ、その２箇所の切れ目部分を手前に引き起こしたもので、引き起こした裏面には切り起こし穴３３が形成されることになる。そして切り起こし片３２の裏側にパイプ部材２４を通すことでパイプ部材２４の上部を固定することになる。
【００３５】
前記下部接続部材２５の垂直部２５ｂの先端には、突片２５ｃが立設されており、パイプ板３０をパイプ部材２４に配置した状態では、切り欠き３１の切り欠き底面３１ａが下部接続部材２５の垂直先端部２５ｄに当接することになるが、その場合、突片２５ｃとパイプ部材２４とでパイプ板３０の下端を狭持し、パイプ板３０を位置決めする。
【００３６】
パイプ板３０の取り付けについて説明すると、まずパイプ部材２４の下端に下部接続部材２５を接続したものを用意する。次いでパイプ部材２４の後方のやや上方にパイプ部材２４の外壁に接するようにパイプ板３０を置く。パイプ部材２４の外壁がパイプ板３０の表面に接する状態を維持しながらパイプ板３０を押し下げる。するとパイプ板３０の切り欠き３１の間に下部接続部材２５が入り込む。構わず押し下げるとパイプ部材２４の先端が切り起こし片３２に当接する。
【００３７】
そこで更に切り起こし片３２を押し上げその下側にパイプ部材２４を通す。その状態で更にパイプ板３０を押し下げる。するとパイプ板３０の切り欠き底面３１ａに下部接続部材２５の垂直先端部２５ｄから立設する突片２５ｃの先端が当接する。構わず押し下げるとパイプ板３０の切り欠き底面３１ａは突片２５ｃの裏側に入り込むので、更にパイプ板３０を押し下げる。するとついにはパイプ板３０の切り欠き底面３１ａは、下部接続部材２５の垂直先端部２５ｄに当接し突片２５ｃの間で位置決めが完了する。その後、パイプ部材２４の上端に上部接続部材２６が接続されることになる。
【００３８】
この場合、切り欠き３１の幅である両切り欠き側面３１ｂ、３１ｂ間の長さは、下部接続部材２５の径よりやや大きい程度であるため、パイプ板３０の切り欠き底面３１ａが下部接続部材２５の垂直先端部２５ｄに当接し突片２５ｃの間で位置決めが行われている状態でパイプ板３０が回動するようなことはほぼなくなる。
【００３９】
ところで図１で示すパイプ板３０の切り欠き３１は、縦方向の中心より左側に偏心している。このように偏心させる理由は次のとおりである。即ち、図１に示すように電気ポットの表示窓７ａは右側にずれて設けられているとともに、図４の底面図に示すように電動ポンプ６の流出パイプ６ｂは電気ポットのほぼ中央に設けられており、下部接続部材２５は図１でみて右から左側へ傾斜している。このような状態では、切り欠き３１を縦方向の中心に設けると下部接続部材２５が切り欠き３１の左側の切り欠き側面３１ｂに当たることになるためである。
【００４０】
また前記したように本件実施の形態の電気ポットでは、内筒１０の上部に絞り１０ａを設けた真空二重構造のものを用いている。このような内容器３の外筒は、上部外筒１１及び下部外筒１２をそれぞれの端部である上部外筒下端部１１ｂと下部外筒上端部１２ａとを溶接で接続することになるが、溶接後には外筒の外周に溶接部となるフランジ１３が形成されることになる。ところがこのフランジ１３の先端部は平坦にはなっていないため、この箇所に上部接続部材２６が当接すると、上部接続部材２６はシリコンで形成されているため破損することがある。
【００４１】
この実施の形態では、図２及び図３に示すようにフランジ１３の対向位置まで前記パイプ板３０を延設させている。そのため上部接続部材２６が直接フランジ１３に当接することがなく上部接続部材２６がフランジ１３によって破損することはなくなる。
【００４２】
更に前記パイプ板３０は、図５に示すように縦方向の軸心回りに前方に湾曲した断面円弧状を呈するとともに、その両側端部は、外ケース７の内壁に当接し、パイプ板３０と外ケース７の内壁とで空間３４を形成している。そしてこの空間３４内にパイプ部材２４が配設されることになる。この空間３４は上下方向が開放されているため、密閉空間ではないが、充分断熱空間としての機能を有するもので、パイプ部材２４を流れるお湯を保温することができる。またこのような構造にすることにより光の分散を防ぎ、パイプ部材２４内の残量がより見やすくなる。
【００４３】
本願発明は、上記実施の態様の構成に限定されるものではなく、発明の要旨を逸脱しない範囲において適宜設計変更可能であることは勿論である。
【００４４】
【発明の効果】
請求項１に係る発明では、表示窓が設けられる側を正面とした場合、表示窓が正面視で右側にずれて設けられ、ポンプの流出パイプはほぼ中央に設けられ、下部接続部材は正面視で右から左側に傾斜しており、パイプ板の下端にセンターラインより左に偏っている切り欠きを設け、該切り欠き内に下部接続部材を配置することにより、パイプ板の下端に設けた切り欠きをパイプ部材の下端接続部材に挿入するという簡単な操作でパイプ板を固定することができるため、パイプ板及びパイプ部材を予めユニット化することができ、パイプ板の組み立てをより簡略化することができる。更にパイプ板の取り付け並びに位置合わせを同時に行うことができるため、パイプ板の取り付け後にパイプ板が移動する弊害を防止することができる。
【００４５】
また、切り欠きは、パイプ板のセンターラインより右または左に偏っていることにより、例え下端接続部材がどのような方向で取り付けられることになっても切り欠きの位置をその方向に合わせて作ることができるためそれだけパイプ板の設計の自由度が高まり、ひいてはどのような方向であっても容易に対応することができる。
【００４６】
請求項２に係る発明では、パイプ板の下端に切り欠きを設け、該切り欠き内に前記下部接続部材を配置し、前記内容器を上部外筒及び下部外筒を溶接してなる外筒を用いた真空二重構造とし、前記溶接箇所を前記外筒の上部にするとともに、前記溶接部に外周上に張り出し前記上部接続部材に対向するフランジを形成し、前記パイプ板を前記外筒の溶接部対向位置まで延設させ、前記接続部材を保護することにより、接続部材の破損をより確実に防止することができ、更に内容器を真空二重構造にすることにより断熱効果を向上させることができ、省エネ効果を高めることができる。
【図面の簡単な説明】
【図１】本願発明の電気ポットのパイプ板を取り付けた状態を示す正面図。
【図２】本願発明の電気ポットの略半分を示す側断面図。
【図３】図２の丸Ａの部分を示す拡大図。
【図４】本願発明の電気ポットの底面図。
【図５】図４の丸Ｂの部分を示す拡大図。
【図６】従来の電気ポットのパイプ板を取り付けた状態を示す正面図。
【符号の説明】
１…容器本体                ２…蓋体
３…内容器                  ４…ヒータ
５…給湯通路                ６…電動ポンプ
６ａ…流入パイプ            ６ｂ…流出パイプ
６ｃ…接続管                ７…外ケース
７ａ…表示窓                ８…肩部材
９…底板                    １０…内筒
１０ａ…絞り                １０ｂ…内筒上端部
１０ｃ…内筒下端部          １０ｄ…流出管
１１…上部外筒              １１ａ…上部外筒上端部
１１ｂ…上部外筒下端部      １２…下部外筒
１２ａ…下部外筒上端部      １２ｂ…下部外筒下端部
１３…フランジ              １４…湯温センサ
１５…上板                  １６…下板
１７…エアーポンプ          １８…凹部
１９…押圧板                ２０…カバー部材
２１…シールパッキン        ２２…操作パネル部
２３…給湯ボタン            ２４…パイプ部材
２５…下部接続部材          ２５ａ…傾斜部
２５ｂ…垂直部              ２５ｃ…突片
２５ｄ…垂直先端部          ２６…上部接続部材
２７…転倒防止弁            ２８…注出パイプ
２９…注出口                ３０…パイプ板
３１…切り欠き              ３１ａ…切り欠き底面
３１ｂ…切り欠き側面        ３２…切り起こし片
３３…切り起こし穴          ３４…空間
【図１】
0003632665.tif 000002
【図２】
0003632665.tif 000003
【図３】
0003632665.tif 000004
【図４】
0003632665.tif 000005
【図５】
0003632665.tif 000006
【図６】
0003632665.tif 000007